(57)【要約】  【課題】立体ギャザー部に吸収体を有する吸収性物品に関し、前記立体ギャザーによる体液の横漏れ防止効果を向上させるとともに、装着感を良好にする。  【解決手段】透液性表面シート３と、裏面シート２との間に吸収体４が介在され、かつ表面側両側部に、起立する立体ギャザーＢＳ、ＢＳが形成された吸収性物品１において、前記裏面シート２の両側部４ａが吸収体４の両側部と共に表面側に折り曲げられ、前記吸収体４が立体ギャザーＢＳの一部を構成するとともに、前記吸収体両側部の折曲げ部分の厚みＨ１が吸収体中央部の非折曲げ部分の厚みＨ２よりも薄く形成された構造とする。前記吸収体両側部４ａの折り曲げ部分は、例えばエンボス加工による圧縮及び／又はパルプ積繊量の低減により吸収体中央部の非折曲げ部分の厚みよりも薄く形成することができる。【選択図】図２
2005279082.tif 000002
【特許請求の範囲】
【請求項１】
透液性表面シートと、裏面シートとの間に吸収体が介在され、かつ表面側両側部に、起立する立体ギャザーが形成された吸収性物品において、
前記裏面シートの両側部が吸収体の両側部と共に表面側に折り曲げられ、前記吸収体が立体ギャザーの一部を構成するとともに、前記吸収体両側部の折曲げ部分の厚みが吸収体中央部の非折曲げ部分の厚みよりも薄く形成されていることを特徴とする吸収性物品。
【請求項２】
前記吸収体両側部の折曲げ部分は、エンボス加工による圧縮及び／又はパルプ積繊量の低減により、前記吸収体中央部の非折曲げ部分の厚みよりも薄く形成される請求項１記載の吸収性物品。
【請求項３】
前記吸収体には折曲げ位置に沿って溝状エンボスが形成されている請求項１、２いずれかに記載の吸収性物品。
【請求項４】
前記裏面シートが不透液性シートであり、前記立体ギャザーの起立部中間まで延在させている請求項１記載の吸収性物品。
【請求項５】
前記吸収体の側部において、前記裏面シートの側縁から側方に連続してギャザー不織布が接合されるとともに、該ギャザー不織布の先端部分に長手方向に沿って弾性伸縮部材が配設され、前記立体ギャザーの下半部分は前記折曲げられた吸収体と共に障壁が形成され、かつ上半部分は前記ギャザー不織布によって障壁が形成された構造となっている請求項１〜４いずれかに記載の吸収性物品。
【発明の詳細な説明】
【技術分野】
【０００１】
本発明は、特に尿取りパッド、失禁パッドなどとして使用される吸収性物品であって、立体ギャザーによる体液の横漏れ防止効果を向上させつつ、装着感を良好とした吸収性物品に関する。
【背景技術】
【０００２】
従来より、特に尿取りパッド、失禁パッドに使用される吸収性物品として、ポリエチレンシートまたはポリラミネート不織布、不織布などの裏面シートと、不織布または透液性プラスチックシートなどの表面シートとの間に綿状パルプ等からなる吸収体を介在したものが知られている。
【０００３】
他方で、この種の吸収性物品においても、体液の漏れを防止するために種々の手段が講じられている。例えば下記特許文献１では、図４に示されるように、立体ギャザー３１内にも吸収体３２を介在させることにより体液の横漏れを防ぐようにした使い捨て紙おむつ３０が提案されている。また、下記特許文献２では、図５に示されるように、吸収体４１の両側部４１Ａ、４１Ａを表面側に起立させるとともに、この折り曲げた両側部４１Ａの先端部分４１ａを再度側方に折り返すことにより横方向への漏れの発生を少なくした吸収性物品４０が提案されている。
【特許文献１】特開２０００−２７１１６９号公報
【特許文献２】特開２００２−２９１８０４号公報
【発明の開示】
【発明が解決しようとする課題】
【０００４】
しかしながら、上記特許文献１に記載された使い捨て紙おむつ３０の場合には、立体ギャザー３１に別途の吸収体３２を介在させなければならないため、製造工程が複雑となり製造コストが掛かる問題がある。
【０００５】
一方、上記特許文献２の吸収性物品４０では、起立させた吸収体によって大量の体液があっても横漏れを防止することができるが、吸収体の前後部では吸収体の重ね合わせ部分が厚く且つ硬くなり、着用者に違和感を与えてしまうとともに、吸収体の剛性が高いため吸収体を折り曲げにくいなどの問題もあった。
【０００６】
さらに、これらの場合には、いずれも、起立させた吸収体の両面を覆う被覆シートが共に透液性であるため、体液が通過し横漏れが生じることがあるとともに、立体ギャザーよりも外側部分にサイドフラップが存在するため、紙おむつのインナーとして使用する場合には、装着時に前記サイドフラップを折り返すか折り畳む手間が生じ、装着に手間取るなどの問題もあった。
【０００７】
そこで、本発明の主たる課題は、立体ギャザー部に吸収体を有する吸収性物品に関し、前記立体ギャザーによる体液の横漏れ防止効果を向上させるとともに、装着感を良好にすること、加えて製造及び加工が容易であること、紙おむつなどのアウターへの装着が容易であること、などの効果を備えた吸収性物品を提供することにある。
【課題を解決するための手段】
【０００８】
前記課題を解決するために請求項１に係る本発明として、透液性表面シートと、裏面シートとの間に吸収体が介在され、かつ表面側両側部に、起立する立体ギャザーが形成された吸収性物品において、
前記裏面シートの両側部が吸収体の両側部と共に表面側に折り曲げられ、前記吸収体が立体ギャザーの一部を構成するとともに、前記吸収体両側部の折曲げ部分の厚みが吸収体中央部の非折曲げ部分の厚みよりも薄く形成されていることを特徴とする吸収性物品が提供される。
【０００９】
上記請求項１記載の本発明においては、裏面シートの両側部が吸収体の両側部と共に表面側に折り曲げられ、前記吸収体が立体ギャザーの一部を構成している。従って、起立した吸収体部分によって体液を確実に吸収し、横漏れを防止することができる。また、立体ギャザー部の吸収体は本体の吸収体側部を折り曲げて形成されるため製造が容易であるとともに、裏面シートが側部を巻き込むようにしているため、立体ギャザーの外側にはサイドフラップが形成されておらず、紙おむつなどのインナーとして使用する際に、容易に装着することができる。
【００１０】
さらに、本吸収性物品では、前記吸収体の折曲げ部分の厚みを、吸収体中央部の非折曲げ部分の厚みよりも薄く形成しているため、容易に折曲げ加工ができ、かつ吸収体の前後部では吸収体の重ね合わせ部分をあまり増厚させないで済むため、装着時に違和感を低減することができる。
【００１１】
請求項２に係る本発明として、前記吸収体両側部の折曲げ部分は、エンボス加工による圧縮及び／又はパルプ積繊量の低減により、前記吸収体中央部の非折曲げ部分の厚みよりも薄く形成される請求項１記載の吸収性物品が提供される。吸収体両側部の折曲げ部分の厚みを薄く形成するには、エンボス加工による圧縮及び／又はパルプ積繊量の低減によって達成することが可能である。
【００１２】
請求項３に係る本発明として、前記吸収体には折曲げ位置に沿って溝状エンボスが形成されている請求項１、２いずれかに記載の吸収性物品が提供される。吸収体の折曲げ位置に溝状エンボスを形成することにより、吸収体の側部を容易に折曲げることができる。
【００１３】
請求項４に係る本発明として、前記裏面シートが不透液性シートであり、前記立体ギャザーの起立部中間まで延在させている請求項１記載の吸収性物品が提供される。不透液性の裏面シートを立体ギャザーの起立部中間まで延在させているため、立体ギャザーの吸収体を通過しようとする体液を完全に遮断することができる。
【００１４】
請求項５に係る本発明として、前記吸収体の側部において、前記裏面シートの側縁から側方に連続してギャザー不織布が接合されるとともに、該ギャザー不織布の先端部分に長手方向に沿って弾性伸縮部材が配設され、前記立体ギャザーの下半部分は前記折曲げられた吸収体と共に障壁が形成され、かつ上半部分は前記ギャザー不織布によって障壁が形成された構造となっている請求項１〜４いずれかに記載の吸収性物品が提供される。
【００１５】
上記請求項５記載の発明においては、前記立体ギャザーの下半部分は前記折曲げられた吸収体と共に障壁が形成され、かつ上半部分は前記ギャザー不織布によって障壁が形成された構造としている。従って、前記ギャザー不織布による障壁による追従性によって身体への密着性が向上するため、隙間からの横漏れを確実に防止することができる。
【発明の効果】
【００１６】
以上詳説のとおり本発明によれば、立体ギャザー部に吸収体を有する吸収性物品に関し、前記立体ギャザーによる体液の横漏れ防止効果を向上させるとともに、装着感を良好にすることができる。さらには、製造及び加工が容易であるとともに、紙おむつなどのアウターへの装着が容易であるなどの効果を奏することができる。
【発明を実施するための最良の形態】
【００１７】
以下、本発明の実施の形態について図面を参照しながら詳述する。
図１は本発明に係る尿取り用パッド１の展開図であり、図２は図１のII−II線矢視図である。
【００１８】
前記尿取り用パッド１は、ポリエチレンシートなどのプラスチックシート又は不織布などからなる裏面シート２（本形態例では、プラスチックシートとしている。）と、失禁時に生ずる尿等の排泄物をはじめとする体液を速やかに透過させる透液性表面シート３と、これら両シート間に介装された綿状パルプまたは合成パルプなどからなる吸収体４と、図示の例では吸収体４を囲繞して前記吸収体４の形状保持および拡散性向上のために設けられたクレープ紙５と、表面側に突出して設けられた左右一対の立体ギャザーＢＳ、ＢＳとから主に構成され、かつ前記吸収体４の周囲においては、その前後端縁部で前記裏面シート２と透液性表面シート３とがホットメルトなどの接着剤やヒートシール等の接着手段によって接合された、図示の例では略方形状のパッドである。
【００１９】
以下、さらに前記尿取り用パッド１の構造について詳述すると、
前記裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２０】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法、エアースルー法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２１】
また、前記透液性表面シート３に多数の透孔を形成した場合には、尿等の排泄物をはじめとした体液が速やかに吸収されるようになり、ドライタッチ性に優れたものとなる。
【００２２】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のために図示されるようにクレープ紙５によって囲繞するのが望ましい。
【００２３】
前記立体ギャザーＢＳは、前記裏面シート２の両側部が吸収体４の両側部と共に表面側に折り曲げられ、前記吸収体４が前記立体ギャザーの一部（基端側の下半部分）を構成しているとともに、前記吸収体両側部の折曲げ部分の厚みが吸収体中央部の非折曲げ部分の厚みよりも薄く形成されている。
【００２４】
以下、さらに形成手順と共に、具体的に詳述すると、
図３(A)に示されるように、吸収体４の側部においては、前記裏面シート２の側縁から側方に連続してギャザー不織布７が接合されている。このギャザー不織布７は、先端部分が二重に折り返され、この折返し部分の先端に、長手方向に沿って弾性伸縮部材６が配設されている。前記ギャザー不織布７としては、体液が側方に流出するのを防止するため、素材自体が撥水性を有するか、またはシリコン系、パラフィン系、アルキルクロミッククロリド系撥水剤などのコーティング等、適宜の撥水処理を施した不織布素材を用いるのが望ましい。
【００２５】
次いで次工程では、図３(B)に示されるように、吸収体４の両側部４ａが、面状のエンボス加工による圧縮によって他の部分よりも薄肉化されるとともに、境界部（折曲げ位置）には線状のエンボス加工によって溝状エンボス４ｂが形成される。なお、前記吸収体両側部４ａの薄肉化は、吸収体４の製造時に両側部４ａの積繊量を低減することにより行ってもよい。この場合においても、前記溝状エンボス４ｂは形成した方が望ましい。ここで、前記吸収体両側部４ａの厚みＨ１は吸収体中央部の非折曲げ部分の厚みＨ２よりも薄くする。具体的に前記厚みＨ１は１〜２０mm、好ましくは１〜５mmとするのが望ましい。
【００２６】
次に、同図(B)に示されるように、前記溝状エンボス４ｂ位置を折曲げ位置として、裏面シート２の両側部と共に、吸収体４の両側部を共に表面側に折り曲げ、この折曲げ部分の長手方向両端部を透液性表面シート３の上面に接着することにより、図３(C)に示されるように、立体ギャザーＢＳは、股間部位において、立体ギャザーＢＳの基端側下半部分では前記折曲げられた吸収体４と共に障壁が形成され、かつ上半部分ではギャザー不織布７が弾性伸縮部材６の伸縮力によって起立した障壁が形成された構造となっている。
【００２７】
前述のように構成された立体ギャザーＢＳは、前記裏面シート２が吸収体４の側縁部を巻き込み、立体ギャザーＢＳの起立部中間まで延在させているため、立体ギャザーＢＳを透過しようとする体液を完全に阻止するとともに、側部にフラップが形成されないため、紙おむつなどのインナーとして使用する際に、容易に装着できるようになる。
【００２８】
また、前記吸収体４の折曲げ部分４ａの厚みを、吸収体中央部の非折曲げ部分の厚みよりも薄く形成しているため、容易に折曲げ加工ができ、かつ吸収体の前後部では吸収体の重ね合わせ部分をあまり増厚させないで済むため、装着時に違和感を低減することができる。
【００２９】
更に、本発明に係る立体ギャザーＢＳは、下半部分は吸収体４によって障壁が形成され、かつ上半部分はギャザー不織布７によって障壁が形成された構造となっているため、運動時においても身体との密着性は、前記ギャザー不織布７によって形成された障壁の追従性によって確保されるようになる。これに対して、図４及び図５に示されるように、吸収体が立体ギャザーの基端から先端までの全起立区間に亘って配設された従来の立体ギャザーの場合には、身体との間に隙間が形成され易く、該隙間から体液が漏れ出るおそれがある。
【００３０】
〔他の形態例〕
(1)上記形態例では、本発明を尿取り用パッド１に適用した場合について述べたが、本発明は、生理用ナプキン、パンティライナー、失禁パッド等などに対しても同様に適用することができる。
(2)上記形態例では、裏面シート２として不透液性のプラスチックシートを使用したが、吸収体４の裏面側に防漏シートとして不透液性のシートを配設し、さらにその外面側を不織布によって覆うようにしてもよい。また、紙おむつのインナーとして使用する場合には、不透液性でなくてもよく、該裏面シート３は透液性の不織布としてもよい。
【図面の簡単な説明】
【００３１】
【図１】本発明に係る尿取り用パッド１の展開図である。
【図２】図１のII−II線矢視図である。
【図３】(A)〜(C)は立体ギャザーＢＳの形成要領を示す手順図である。
【図４】従来の使い捨て紙おむつ３０の横断面図である。
【図５】従来の吸収性物品４０の横断面図である。
【符号の説明】
【００３２】
１…尿取り用パッド、２…裏面シート、３…透液性表面シート、４…吸収体、４ａ…（吸収体の）両側部、４ｂ…溝状エンボス、５…クレープ紙、６…弾性伸縮部材、７…ギャザー不織布、ＢＳ…立体ギャザー
【図１】
2005279082.tif 000003
【図２】
2005279082.tif 000004
【図３】
2005279082.tif 000005
【図４】
2005279082.tif 000006
【図５】
2005279082.tif 000007